(57)【要約】【課題】捕球具を使用する者の指の大きさや形状の個人差に関わらず、好適な配置を可能とし、しかも好ましいフィット感が得られる捕球具を提供する。【解決手段】グローブ本体の甲側外皮と掌側外皮のそれぞれに甲側内皮１１と掌側内皮１２が固着されると共に、親指を位置固定および位置固定解除自在な親指掛け１をグローブ本体の親指袋部の基端部に設けてある。親指掛け１が、掌側内皮１２に固着された第１帯体１ａと第２帯体１ｂとを有しており、第１帯体１ａが親指を人指し指側から押圧可能にし、第２帯体１ｂが第１帯体１ａの外周側に沿って位置すると共に第１帯体１ａに重なるように配置されていて、第１帯体１ａによる親指への押圧状態を、第２帯体１ｂを張設することにより維持して、第１帯体１ａと第２帯体１ｂとによって親指のフィット感を持続しつつ親指の位置決めを可能にする。【選択図】図３
2007244717.tif 000002
【特許請求の範囲】
【請求項１】
捕球具本体の甲側外皮と掌側外皮のそれぞれに甲側内皮と掌側内皮が固着されると共に、親指を位置固定および位置固定解除自在な親指掛けを前記捕球具本体の親指袋部の基端部に設けてある捕球具において、
前記親指掛けが、前記掌側内皮に固着された第１帯体と第２帯体とを有しており、前記第１帯体が親指を人指し指側から押圧可能にし、前記第２帯体が前記第１帯体の外周側に沿って位置すると共に第１帯体に重なるように配置されていて、前記第１帯体による親指への押圧状態を、前記第２帯体を張設することにより維持して、前記第１帯体と第２帯体とによって親指のフィット感を持続しつつ親指の位置決めを可能にすることを特徴とする捕球具。
【請求項２】
前記第１帯体と第２帯体の根元部が掌側内皮に縫着されていると共に、長手方向略中間部から紐状に幅が狭くなっており、これら紐状をした先端は外皮の外側に達すると共に、前記第２帯体の先端が２本の紐状に構成されて、前記外皮の外側で解除自在に締結可能になっている請求項１に記載の捕球具。
【請求項３】
前記第１帯体の先端は、挿入された親指の周囲を周回するようにして、前記甲側内皮に形成された挿通孔を通して甲側外皮の外側に向かうと共に、前記第２帯体は、その先端が一旦前記掌側内皮と掌側外皮との間に入り、再度掌側内皮に形成された挿通孔を通して、前記第１帯体の先端と同様に前記甲側外皮の外側に向かうようになっている請求項１又は２に記載の捕球具。
【請求項４】
手の甲を受け止め支持する手幅方向に沿うバンドが、前記捕球具本体に、手に対して押圧および押圧解除自在に設けて構成してある請求項１〜３のいずれか１項に記載の捕球具。
【発明の詳細な説明】
【技術分野】
【０００１】
本発明は捕球具に関し、詳しくは、捕球具本体の甲側外皮と掌側外皮のそれぞれに甲側内皮と掌側内皮が固着されると共に、親指を位置固定および位置固定解除自在な親指掛けを前記捕球具本体の親指袋部の基端部に設け、手の甲を受け止め支持する手幅方向に沿うバンドを前記捕球具本体に、手に対して押圧および押圧解除自在に設けて構成してある捕球具に関する。
【背景技術】
【０００２】
野球用グローブのような捕球具は、球を捕球する動作を敏捷に行う必要があるため、グローブ自体が使用者の手にぴったりとフィットしていることが不可欠である。特に、親指を挿入する箇所は、１本の指で確実に捕球動作の一方を担うため、使用者の親指の大きさに合致すると共にフィットすることが必要である。
【０００３】
そのようなグローブの発明として、親指を位置固定および位置解除自在な親指掛けをグローブ本体の親指袋部に設けると共に、親指掛けを、人指し指側から親指を押圧可能にする帯体と、人指し指とは反対側から押圧可能な帯体とから構成し、帯体の１を用いて手の甲を受け止め支持する手幅方向に沿うバンドを手に対して押圧するようにしたものがある（例えば、特許文献１）。
【０００４】
【特許文献１】特開２００３−１２６３２４号公報
【発明の開示】
【発明が解決しようとする課題】
【０００５】
しかしながら、上記従来技術のグローブでは、グローブを使用する者の指のサイズの大小に関わらず、好適なフィット感が得られるものでは必ずしもなく、加えてグローブ内における親指の好ましい配置の個人差に対処できるものではなく、更なる改良が求められていた。
【０００６】
そこで、本発明の目的は、上記従来技術の有する問題点に鑑みて、捕球具を使用する者の指の大きさや形状の個人差に関わらず、好適な配置を可能とし、しかも好ましいフィット感が得られる捕球具を提供することにある。
【課題を解決するための手段】
【０００７】
上記課題は、請求項記載の各発明により達成される。すなわち、本発明に係る捕球具は、捕球具本体の甲側外皮と掌側外皮のそれぞれに甲側内皮と掌側内皮が固着されると共に、親指を位置固定および位置固定解除自在な親指掛けを前記捕球具本体の親指袋部の基端部に設けてあって、前記親指掛けが、前記掌側内皮に固着された第１帯体と第２帯体とを有しており、前記第１帯体が親指を人指し指側から押圧可能にし、前記第２帯体が前記第１帯体の外周側に沿って位置すると共に第１帯体に重なるように配置されていて、前記第１帯体による親指への押圧状態を、前記第２帯体を張設することにより維持して、前記第１帯体と第２帯体とによって親指のフィット感を持続しつつ親指の位置決めを可能にすることにある。
【０００８】
この構成によれば、親指掛けを構成する第１帯体と第２帯体とが掌側内皮に固着されていると共に、人指し指側から押圧可能にする第１帯体の外周側に沿って位置し、第１帯体に重なるように配置されている第２帯体の存在により、親指のフィット感を高めるべく設定された第１帯体の張力状態が、第２帯体に張力をかけることによって維持される。そのため、挿入された親指に対して、甲側外皮の外側から、内側に位置する第１帯体の先端を引っ張ることにより、フィット感を最も適したように高めた上で、外側に位置する第２帯体を引っ張り締結することにより、親指の大きさ、形状の個人差に関わらず、好適な位置を決定することができる。
【０００９】
その結果、捕球具を使用する者の指の大きさや形状の個人差に関わらず、好適な配置を可能とし、しかも好ましいフィット感が得られる捕球具を提供することができた。
【００１０】
前記第１帯体と第２帯体の根元部が掌側内皮に縫着されていると共に、長手方向略中間部から紐状に幅が狭くなっており、これら紐状をした先端は外皮の外側に達すると共に、前記第２帯体の先端が２本の紐状に構成されて、前記外皮の外側で解除自在に締結可能になっていることが好ましい。
【００１１】
この構成によれば、第２帯体の先端が２本の紐状に構成されているため、締結したり、解除したりすることが容易となり、利用者の最適な締結状態を確保し易い。
【００１２】
前記第１帯体の先端は、挿入された親指の周囲を周回するようにして、前記甲側内皮に形成された挿通孔を通して甲側外皮の外側に向かうと共に、前記第２帯体は、その先端が一旦前記掌側内皮と掌側外皮との間に入り、再度掌側内皮に形成された挿通孔を通して、前記第１帯体の先端と同様に前記甲側外皮の外側に向かうようになっていることが好ましい。
【００１３】
この構成によれば、第１帯体に張力をかけてフィット感を最適にした後、第２帯体に張力をかけつつ締結することにより、一層確実かつ強固に利用者の最適な締結状態を確保できる。すなわち、従来のグローブの親指掛けは、下から上への一方向による締め付け方式であったため緩みやすい欠点があったが、この構成によれば、上から下へ締めつけることができて、一層緩み難くなる。
【００１４】
手の甲を受け止め支持する手幅方向に沿うバンドが、前記捕球具本体に、手に対して押圧および押圧解除自在に設けて構成してあることが好ましい。
【００１５】
この構成によれば、手首のフィット感を容易に好適な状態にすることができる。
【発明を実施するための最良の形態】
【００１６】
本発明に係る捕球具の一実施形態を、図面を参照して説明する。図１は、本実施形態に係る捕球具の１種である野球用の開口型のグローブの甲側の構成を示し、図２は手の掌側内皮１２および手の甲側内皮１１の２枚からなる内皮を示し、図３は掌側内皮１２に縫製され固着され、帯体で構成された親指掛け１による締め付け構造を示す。
【００１７】
このグローブは、２枚からなる内皮１１，１２が、それぞれグローブ本体２（捕球具本体に相当）の甲側外皮７と掌側外皮に縫製あるいは紐（図示略）により固着されると共に、親指を位置固定および位置固定解除自在な親指掛け１をグローブ本体２の親指袋部３の基端部に設け、更に、手の甲を受け止め支持する手幅方向に沿うバンド４をグローブ本体２に、手に対して押圧および押圧解除自在に構成してある。
【００１８】
プレーするときは、両内皮１１，１２の内側に手が挿入され、挿入された手をグローブにフィットさせることになるが、その際、バンド４を甲側外皮７に面ファスナーなどの手段を用いて解除自在に固定するようになっている。なお、図番１３は、手挿入口である。
【００１９】
親指掛け１は、図２，３に示すように、長手方向略中間部から紐状に幅が狭くなると共に、互いに重なるように配置されている二本の第１帯体１ａ，第２帯体１ｂの根元部が掌側内皮１２に縫着されている。二本の帯体１ａ，１ｂは、固着された根元部から、挿入される親指の甲側が対面する位置までは互いに縫製され固着されており、親指の側面に対面する側に至る位置からは固定解除されている。
【００２０】
そして、二本の帯体１ａ，１ｂの内、内側に位置する第１帯体１ａの先端は、更に、挿入された親指の周囲を周回するようにして、内皮１１に形成された挿通孔５を通して甲側外皮の外側に向かう。第１帯体１ａの外周側に位置する第２帯体１ｂは、その先端が内皮１２に形成された指の先端側の挿通孔１５を通して、一旦内皮１２の裏側（内皮１２と掌側外皮との間）に入り、再度内皮１２に形成された指の手首側の挿通孔１６を通して、第１帯体１ａの先端と同様に甲側外皮の外側に向かう。
【００２１】
これら二重になった帯体１ａ，１ｂによって、個人差のある親指の大きさ、形状の相違に対しても柔軟に対応可能にでき、フィット感を高め、かつ確実な位置決め及び位置固定を同時に達成する。
【００２２】
すなわち、二本の帯体１ａ，１ｂの内、内側に位置する第１帯体１ａは、図２，３に示すように、その先端が１本の紐状となっており、外側に位置する第２帯体１ｂは、その先端が２本の紐状となっていて、上記したように、それぞれの先端は甲側外皮に形成された貫通孔を挿通して甲側外皮の外側に達するようになっている。そして、挿入された親指に対して、甲側外皮の外側から、内側に位置する第１帯体１ａの先端を引っ張ることにより、フィット感を最も適したように高めた上で、外側に位置する第２帯体１ｂを引っ張り結ぶことにより張設すると、親指の大きさ、形状の個人差に関わらず、好適な位置を決定することができる。
【００２３】
その結果、第２帯体１ｂの先端の２本の紐は、図１に示すように、親指袋部３の外側で結ばれ締結され、図番１４は、その結び目を示す。この場合、内側に位置する第１帯体１ａの先端を引っ張り、親指を人指し指側から押圧してフィット感を最適にした後、外側に位置する第２帯体１ｂを引っ張るようにすると、内側に位置する第１帯体１ａが親指を締めつけている張力が緩むことなく、両者を好適な位置に固定することができる。しかも、親指の位置を変更調整したい場合には、第２帯体１ｂの結び目１４を解除することにより、第１帯体１ａを引っ張りながら第２帯体１ｂの先端を結び直すことによって容易に調整できる。もっとも、第２帯体１ｂの２本の先端を結ぶようにしたが、必ずしも結ぶ必要はない。本実施形態の構成であれば、容易に解けることがないからである。したがって、結ぶか否かは、使用者の好みによって選択することができる。
【００２４】
〔別実施の形態〕
（１）上記実施形態の野球用グローブとして、開口型グローブを例に挙げて説明したが、本発明に係る捕球具は、開口型グローブに限られるものではなく、全閉型のグローブであってもよく、グローブの種類を問わない。
（２）上記実施形態では、野球用グローブを例に挙げて説明したが、本発明に係る捕球具は、野球のキャッチャーミットやファーストミット、更にはソフトボールのグローブ、キャッチャーミットやファーストミットにも適用できる。
（３）上記実施形態では、第１帯体１ａの先端を１本の紐とし、第２帯体１ｂの先端の２本の紐としたが、第１帯体１ａの先端を２本の紐として結ぶようにしてもよい。
【図面の簡単な説明】
【００２５】
【図１】本発明の一実施形態に係る野球用グローブの甲側からみた斜視図
【図２】両内皮と親指掛けの配置を示す平面図
【図３】図２の親指掛けの拡大説明図
【符号の説明】
【００２６】
１        親指掛け
１ａ      第１帯体
１ｂ      第２帯体
２        捕球具本体
３        親指袋部
４        バンド
１１      甲側内皮
１２      掌側内皮
【図１】
2007244717.tif 000003
【図２】
2007244717.tif 000004
【図３】
2007244717.tif 000005